(57)【特許請求の範囲】
【請求項１】
円管の側壁に設けた開口部へ取り付けられる支管接続口であって、前記支管接続口は、
前記円管の前記開口部を挿通する差し口と、前記差し口外周部に固着されており、且つ前記円管の一方の側の側壁に沿うように湾曲したスピゴットフランジとを有している、前記円管の一方の側の側壁に取り付けられるスピゴットと、そして
前記スピゴットの前記差し口と嵌合する受け口と、前記受け口外周部に固着されており、且つ前記円管の一方の側とは反対側の他方の側の側壁に沿うように湾曲したソケットフランジとを有している、前記円管の他方の側の側壁に取り付けられるソケットと
から構成されており、
前記スピゴットの前記差し口外周部において、前記スピゴットフランジの付根近傍の領域は、前記スピゴットフランジの付根近傍以外の領域の外径よりも拡径されている段付き部を備えており、且つ前記段付き部の外径は、前記ソケットの前記受け口の内径よりも拡径されていることを特徴とする支管接続口。
【請求項２】
切管可能な立上り部と、そして
前記立上り部の下部に接続される泥溜め部とを備えた雨水ますにおいて、
前記円管は、前記立上り部を構成していることを特徴とする請求項１に記載の支管接続口。
【請求項３】
切管可能な立上り部と、
前記立上り部の下部に接続される泥溜め部と、そして
前記泥溜め部の中に着脱自在に収容されるバケットとを備えた雨水ますであって、
前記立上り部の側壁に設けた開口部へ取り付けられる支管接続口は、
前記立上り部の前記開口部を挿通する差し口と、前記差し口外周部に固着されており、且つ前記立上り部の一方の側の側壁に沿うように湾曲したスピゴットフランジとを有している、前記立上り部の一方の側の側壁に取り付けられるスピゴットと、そして
前記スピゴットの前記差し口と嵌合する受け口と、前記受け口外周部に固着されており、且つ前記立上り部の一方の側とは反対側の反対側の他方の側の側壁に沿うように湾曲したソケットフランジとを有している、前記立上り部の他方の側の側壁に取り付けられるソケットとから構成されており、
前記スピゴットの前記差し口外周部において、前記スピゴットフランジの付根近傍の領域は、前記スピゴットフランジの付根近傍以外の領域の外径よりも拡径されている段付き部を備えていることを特徴とする雨水ます。
【請求項４】
前記支管接続口は、外部から雨水ますへ連通する流入口および／または雨水ますから外部へ連通する流出口である、請求項３に記載の雨水ます。
【請求項５】
前記バケットを前記泥溜め部の中へ装着した時、前記バケットの外部側壁と前記泥溜め部の内部側壁との間に所定の隙間を形成するように前記バケットの外部側壁の周囲に配置される案内部と、前記立上り部と前記泥溜め部を接続する時、前記立上り部と前記泥溜め部の間に挟み込まれることよって前記ます本体の内部に固定される掛かり部とを有するバケットガイドをさらに含んでいることを特徴とする請求項３又は４のいずれか１項に記載の雨水ます。
【請求項６】
前記掛かり部は、前記立上り部側壁の下端面および／または前記泥溜め部側壁の上端面と当接可能なフランジ形状であることを特徴とする請求項５に記載の雨水ます。
【請求項７】
前記案内部は、前記バケットの外部側壁とスライド可能に当接するガイド面を有していることを特徴とする請求項５又は６のいずれか１項に記載の雨水ます。
【請求項８】
前記案内部は、前記ます本体の周方向に延びたリング状であることを特徴とする請求項５ないし７のいずれか１項に記載の雨水ます。
【請求項９】
前記案内部は、前記ます本体の放射方向に延びた複数の舌部から構成されていることを特徴とする請求項５ないし７のいずれか１項に記載の雨水ます。
【請求項１０】
前記案内部は、断面視において、下向きのコの字断面形状または下向きのＵの字断面形状を有していることを特徴とする請求項５ないし９のいずれか１項に記載の雨水ます。
【発明の詳細な説明】
【技術分野】
【０００１】
本発明は、円管の側壁の一方の側から、側壁に設けた開口部へ取り付けられるスピゴットと、側壁の他方の側から、前記開口部へ取り付けられるソケットとを備えており、前記スピゴットの差し口外周部は、スピゴットフランジの付根近傍の領域において、スピゴットフランジの付根近傍以外の領域の外径よりも拡径されている段付き部を含んだ支管接続口及びその支管接続口を備えた雨水ますに関する。
【０００２】
また、本発明は、上述の支管接続口を備えた雨水ますが、立上り部と、前記立上り部の下部に接続される有底の泥溜め部と、前記泥溜め部の中に着脱自在に収容されるバケットとを備えた雨水ます又は雨水浸透ます（以下、これらをまとめて、単に「雨水ます」ともいう。）であり、特にバケットを泥溜め部の中の所定の位置に配置するために、立上り部と泥溜め部との間に固定されるバケットガイドを有している雨水ますを含んでいる。
【背景技術】
【０００３】
一般に、建物の屋根等に降った雨水は、宅地内の雨水ます等によって集められる。雨水には、泥、枯葉等の異物が混入していることがある。このため、例えば特開平８−８６００７号公報（特許文献１）や特開２０１３−１９２１８号公報（特許文献２）に記載されているように、雨水ますの外部に泥等の異物が流出しないように、ます本体の下部へ、異物を捕捉するための有底の泥溜め部が設けられ、さらに泥溜め部の中には泥溜め容器（バケット）が着脱自在に取り付けられた高機能の雨水ますが知られている。このように、前記雨水ますは、所定の方向へ向けて複数の排水管接続口を備えたます本体と、その下部に取り付けられた泥溜め部と、泥溜め部の中に装着される泥溜め容器とを主な構成要素とする複雑な構造および形状を有しているという特徴がある。
【０００４】
一方、近年では雨水ますの普及に伴い、様々な設置場所、設置環境、使用方法に適した雨水ますが求められている。ところが、上述のような高機能の雨水ますの場合、設置場所等に合わせて多品種の雨水ますを成形していたのでは、製造コストが増大してしまうという問題があった。
【０００５】
このため、汎用品の利用を拡大することにより、専用品の部品点数を抑え、高機能を維持しながら低コストの雨水ますを提供することが考えられる。例えば、複数の排水管接続口を備えたます本体については、ます本体に代えて汎用の円管を利用し、そして排水管の接続口については、特開２０００−８４７５号公報（特許文献３）や特開２００６−２６６０７５号公報（特許文献４）に記載されているような接続口の後付け技術を利用して、汎用の円管に設けた開口部へ汎用の接続口を後付けすることが考えられる。また、汎用の円管の下部に取り付けられる泥溜め部とバケットについては、排水中の異物を捕捉するという高機能を維持するため、汎用の円管サイズ（規格）に合わせることにより、限定された種類（サイズ）の専用品のみを製造することが考えられる。
【０００６】
上述のように、汎用の円管および汎用の接続口と、専用の泥溜め部およびバケットとを組み合わせた場合、様々な設置場所、設置環境、使用方法に対して汎用品の利用を拡大することができ、さらに汎用品の規格（サイズ）に合わせることにより、製造しなければならない専用品の部品点数も抑えることができるので、高機能を維持しながら低コストの雨水ますを提供することができる。また、排水管の接続口は、施工現場の排水管の位置に合わせて、汎用の円管の自由な位置（高さ、方向）に任意の方向へ向けて複数個取り付けられるので、専用品の部品点数を増大させることなく、様々な設置場所、設置環境、使用方法に対して汎用品の利用を拡大させることができようになる。
【０００７】
ところが、雨水ますにおいて、ます本体に代えて汎用の円管と汎用の接続口とを利用し、汎用の円管の下部には、バケットが装着される泥溜め部を設けた場合、以下に述べるような問題が生じることが判った。
【０００８】
［第１の問題点］
専用品であるます本体を汎用の円管に置き換えた場合、排水管の接続口は、円管の周壁に開口を設けて汎用の接続口が後付けされる。このため、ホールソー等を用いて円管の周壁に設けられる開口は、円滑な挿通性を考慮して、前記開口へ挿通される接続口の差し口の外径よりも若干大き目に開口される。
【０００９】
ところが、円管の開口が接続口の差し口の外径よりも大きいと、開口と差し口との間に隙間が生じて、接続口取付け部分の止水性が低下してしまうという問題があった。また、接続口の差し口にパッキン等を配置することも考えられるが、この場合は部品点数が増加し、パッキン等を固定するための差し口の形状も複雑となって、後付けの接続口を使用する雨水ますが高価となってしまう問題があった。さらに、排水ますの内側で、接続口のフランジの凹凸等を利用してバケットを装着するタイプの雨水ますの場合、接続口が円管の開口に対して芯ズレ（ガタツキ）を生じることにより、バケットを雨水ます内の適正な位置に設置できなくなるという問題もあった。
【００１０】
［第２の問題点］
次に、泥溜め部に装着されるバケットは、雨水や雨水に含まれる異物を確実に捕捉し、そして泥溜め部との間に一定の隙間を保持することにより、バケットから泥溜め部への雨水等の排出性（浸透性）を保持し、上部点検口からのバケットの出し入れを容易にする必要がある。このため、バケットは、泥溜め部との間に一定の隙間を形成し、バケットの中心軸と雨水ますの中心軸とが一致するように整列させて装着されなければならない。このため、従来の雨水ますでは、ます本体が専用品であったため、ます本体の内壁面には、バケットの装着位置を案内するためのリング状のガイドが設けられていた（特許文献１，２）。
【００１１】
なお、リング状のガイドは、バケットの側壁と雨水ますの側壁との間の隙間を埋めることになるため、ガイド上部には異物が堆積しないように、可能な限りバケットの上部縁部付近に当接するように配置されることが望ましい。
【００１２】
ところが、専用品のます本体を汎用の円管に置き換えた場合、円管の内壁面に予めリング状のガイドを設けておくことができなくなるため、バケットを、バケットの中心軸と雨水ますの中心軸とが一致するように整列させて配置することができないという問題があった。また、汎用の円管は、施工現場において適当な長さに切管され、そして円管の周壁には、任意の位置に開口を設けて汎用の接続口が取り付けられるため、この観点からも円管の内壁面に予めリング状のガイドを設けておくことができないという問題があった。
【００１３】
また、バケットを案内するためのリング状のガイドを、泥溜め部の内壁面やバケット自体の上部縁部などに設けておくことも考えられる。しかしながら、前者の場合は、泥溜め部の壁面の高さをバケットの高さと同じかそれ以上の高さとしなければならないため、雨水ますの全高が高く（全長が長く）なり、その分だけ地面等を深く掘削し、雨水ますを深く埋設しなければならなくなるか、逆に汎用の円管の高さが低く（長さが短く）抑えられて、排水管の接続口を汎用の円管の自由な位置（高さ、方向）に取り付けられなくなるという問題があった。また、後者の場合は、バケットを点検口からスムーズに出し入れ出来なくなるという問題があった。
【先行技術文献】
【特許文献】
【００１４】
【特許文献１】特開平８−８６００７号公報
【特許文献２】特開２０１３−１９２１８号公報
【特許文献３】特開２０００−８４７５号公報
【特許文献４】特開２００６−２６６０７５号公報
【発明の概要】
【発明が解決しようとする課題】
【００１５】
そこで、本発明の一の目的は、泥溜め部の上部などに接続される汎用の円管の側壁に開口を設け、前記開口に汎用の接続口を取り付けた場合においても、接続口と円管の開口との間に芯ズレ（ガタツキ）を生じ難く、開口と接続口の差し口との間（接続口取付け部分）からの漏水防止及び止水性向上が図られた支管接続口及びその支管接続口を備えた雨水ますを提供することにある。
【００１６】
さらに、本発明の他の目的は、上述の支管接続口を備えた雨水ますにおいて、排水中の異物を捕捉するための泥溜め部と、泥溜め部の中に装着されるバケットを備えた雨水ますにおいて、泥溜め部の上部に接続されるます本体（複数の接続口が設けられる部分）として汎用の円管を使用することができ、それでいて、バケットを、バケットの中心軸と雨水ますの中心軸とが簡単に一致するように整列させて装着できる雨水ますを提供することにある。
【課題を解決するための手段】
【００１７】
本発明者等は、上記２つの目的を達成するため、汎用の円管に設けられた開口部に取り付けられる汎用の接続口（以下、「支管接続口」ともいう。）と汎用の円管との接続構造や、或いは雨水中の異物を捕捉するための泥溜め部と、泥溜め部の中に装着されるバケットを備えた雨水ますであることを前提として、泥溜め部の上部に配置される汎用の円管からなる立上り部と泥溜め部との接続構造について鋭意検討を重ねた。その結果、支管接続口取付け部分の漏水防止については、支管接続口の差し口の所定の領域を拡径することにより、汎用の接続口を利用しながら、支管接続口と円管の開口部との間に生じる芯ズレ（ガタツキ）、および支管接続口取付け部分からの漏水を効果的に防止できることを見出し、そしてバケットの芯出し（バケットの中心軸と雨水ますの中心軸とを一致させること）については、立上り部と泥溜め部との間で支持されるバケットガイドを設けることにより、汎用の円管を利用しながらバケットの芯出しが可能になることを見出し、本発明を完成させるに至った。
【００１８】
すなわち、本発明によれば、一の形態として円管の側壁に設けた開口部へ取り付けられる支管接続口であって、支管接続口は、円管の開口部を挿通する差し口と、差し口外周部に固着されており且つ円管の一方の側の側壁に沿うように湾曲したスピゴットフランジとを有している、前記円管の一方の側の側壁に取り付けられるスピゴットと、そしてスピゴットの差し口と嵌合する受け口と、受け口外周部に固着されており且つ円管の一方の側とは反対側の他方の側の側壁に沿うように湾曲したソケットフランジとを有している、前記円管の他方の側の側壁に取り付けられるソケットとから構成されており、スピゴットの差し口外周部において、スピゴットフランジの付根近傍の領域は、スピゴットフランジの付根近傍以外の領域の外径よりも拡径されている段付き部を備えていることを特徴とする支管接続口が提供される。
【００１９】
また、本発明において、円管は、切管可能な立上り部と、そして立上り部の下部に接続される泥溜め部とを備えた雨水ますの前記立上り部を構成するものであってもよい。さらに、前述の支管接続口を備えた雨水ますが、立上り部と、前記立上り部の下部に接続される有底の泥溜め部と、前記泥溜め部の中に着脱自在に収容されるバケットとを備えた雨水ますであり、特にバケットを泥溜め部の中の所定の位置に配置するために、立上り部と泥溜め部との間に固定されるバケットガイドを有している雨水ますであってもよい。
【００２０】
なお、本発明では、差し口を有する一の支管接続口部品をスピゴットと呼んでおり、受け口を有する他の支管接続口部品をソケットと呼んでいる。
【００２１】
雨水ますの立上り部等の汎用の円管の側壁に設けた開口部へ取り付けられる支管接続口は、開口部を挿通する差し口を有しているスピゴットと、スピゴットの差し口と嵌合する受け口を有しているソケットから構成されており、そしてスピゴットの差し口外周部のスピゴットフランジの付根近傍の領域は、スピゴットフランジの付根近傍以外の領域の外径よりも拡径された段付き部を含んでおり、立上り部等の円管の側壁に設けられた開口部と略同じ直径を有している。
【００２２】
また、本発明の支管接続口及び該支管接続口を備えた雨水ますは塩化ビニール樹脂からできていることが好ましく、その場合、拡径されたスピゴット差し口の段付き部（スピゴットフランジの付根近傍の領域）は、有機溶剤からなる接着剤を塗布により軟化するので、スピゴット差し口の段付き部と立上り部等の円管の開口部との間に隙間を生じさせることなく、スピゴットの差し口を立上り部等の円管の開口部へ容易に挿通させて密着させることができる。
【００２３】
さらに、本発明の支管接続口を備えた雨水ますが、泥溜め部の中に着脱自在に収容されるバケットを備えている場合、スピゴットのフランジには、バケットの把手を嵌合する溝などを設けることによりバケットを取り付けることができる。この場合、スピゴット差し口と立上り部の開口部との間に隙間があると、バケットの泥溜め部への取付け位置にズレを生じたり、ガタ付きが生じ易くなる。ところが、本発明の支管接続口を備えた雨水ますでは、スピゴット差し口に設けた段付き部により、スピゴット差し口と立上り部の開口部との間に隙間を生じさせることなくスピゴットを立上り部へ取り付けることができるので、バケットの泥溜め部への取付け位置にズレを生じたり、ガタ付きを生じることがない。さらに、隙間がなくなることで、バケットに取り付けられるフィルターやオリフィスを備えている場合においても、フィルターやオリフィスも、流出口との間にズレが生じ難くなる。
【００２４】
このように、上記の支管接続口は、スピゴットの差し口の高い挿通性を維持しながら、立上り部等の円管の開口部との間に生じる芯ズレ（ガタツキ）を防止し、さらに立上り部等の円管の開口部との間（支管接続口の取付け部分）からの漏水防止及び止水性向上を図ることができる。また、スピゴットの差し口のより高い挿通性を実現するためには、スピゴットの差し口の拡径された外周部（段付き部）の幅寸法を立上り部等の円管の肉厚と略同じにすればよい。この場合、湾曲したソケットフランジが、スピゴットの段付き部と立上り部等の円管の側壁の双方と当接するので、より支管接続口の取付け部分の隙間を生じ難くするという効果もある。
【００２５】
なお、本発明において、スピゴット及びソケットは、立上り部等の円管の内部側壁又は外部側壁のいずれの側壁に取り付けられてもよく、例えばスピゴットが立上り部等の円管の内部側壁取り付けられる場合は、ソケットはその反対側の立上り部等の円管の外部側壁取り付けられ、逆にスピゴットが立上り部等の円管の外部側壁取り付けられる場合は、ソケットはその反対側の立上り部等の円管の内部側壁取り付けられる。
【００２６】
スピゴットフランジ及びソケットフランジは、立上り部等の円管の側壁形状に沿うように湾曲しており、例えば立上り部等の円管の内部側壁に取り付けられるフランジは、内部側壁に沿って凸状に湾曲していることが好ましく、一方、立上り部等の円管の外部側壁に取り付けられるフランジは、外部側壁に沿って凹状に湾曲していることが好ましい。また、スピゴットフランジ及びソケットフランジは必ずしも面状である必要はなく、立上り部等の円管の側壁形状に沿って密着させることができるのであれば、格子状のように、複数の棒状部材を組み合わせたものや、棒状部材と面状部材とを組み合わせたものであってもよい。
【００２７】
上述のように構成された支管接続口は、本発明が支管接続口を備えた雨水ますである場合、施工現場の排水管の位置に合わせて、雨水ますの立上り部の自由な位置（高さ、方向）に任意の方向へ向けて複数個取り付けることができる。
【００２８】
典型的には、本発明が支管接続口を備えた雨水ますである場合、外部から雨水ますへ雨水等を流入させるための流入口として、外部から雨水ますへ連通する支管接続口と、および／または雨水ますから外部へ雨水等を流出させるための流出口として、雨水ますから外部へ連通する支管接続口とが、立上り部の自由な位置（高さ、方向）に任意の方向に向けて取り付けられる。
【００２９】
さらに、本発明が支管接続口を備えた雨水ますである場合、前記雨水ますは、他の形態として切管可能な立上り部と、立上り部の下部に接続される泥溜め部とから構成されるます本体と、泥溜め部の中に着脱自在に収容されるバケットと、そしてバケットを泥溜め部の中へ装着した時、バケットの外部側壁と泥溜め部の内部側壁との間に所定の隙間を形成するようにバケットの外部側壁の周囲に配置される案内部と、立上り部と泥溜め部を接続する時、立上り部と泥溜め部の間に挟み込まれることによってます本体の内部に固定される掛かり部とを有するバケットガイドとを備えているものであってもよい。
【００３０】
本発明の雨水ますでは、バケットガイドを、立上り部や泥溜め部とは別個の独立した部品として構成し、立上り部と泥溜め部の間に挟み込むことによってます本体の内部に固定できるようにした。このため、立上り部が汎用の円管であっても、汎用の円管を泥溜め部の上部に接続することが可能となり、ます本体として使用することができる。
【００３１】
また、バケットガイドは、立上り部と泥溜め部の間に挟み込まれる掛かり部と、バケットガイド本体から内側へ向けて突出した案内部を有している。このため、バケットを泥溜め部の中へ装着する時、バケットの外部側壁を案内部へスライド可能に当接させることにより、バケットは、バケットの中心軸と雨水ますの中心軸とが一致するように案内され、そして、バケットの外部側壁と泥溜め部の内部側壁との間に所定の隙間を形成される。
【００３２】
バケットガイドの掛かり部は、立上り部と泥溜め部の間に簡単に挟み込むことができ、且つ立上り部と泥溜め部との接触（接続）面積を出来るだけ減少させないように、立上り部側壁の下端面および／または泥溜め部側壁の上端面と当接可能なフランジ形状であることが好ましい。このため、立上り部側壁の下部または泥溜め部側壁の上部のいずれか一方が差し口であり、泥溜め部側壁の上部または立上り部側壁の下部のいずれか一方が受け口である場合は、差し口の端面が当接する受け口の段部と当接可能なフランジ形状であってもよい。
【００３３】
バケットガイドの案内部は、バケットを泥溜め部へ装着する時、バケットを雨水ます（泥溜め部）の中の正確な位置に案内するため、バケットの外部側壁とスライド可能に当接するガイド面を有していることが好ましい。
【００３４】
このため、バケットガイドの案内部は、ます本体の周方向に延びたリング状であるか、若しくはます本体の放射方向に延びた複数の舌部から構成されていることが好ましい。バケットの案内部がリング状若しくはます本体の放射方向に延びた複数の舌部から構成されていると、バケットの外部側壁を略全方向からスライド可能に支持することができるので、バケットは雨水ます（泥溜め部）の中のより正確な位置へ案内され、そしてバケットの外部側壁と泥溜め部の内部側壁との間には所定の隙間が安定して形成される。
【００３５】
バケットガイドの案内部は、案内部上部に異物が堆積しないように、可能な限りバケットの上部縁部近傍に当接するように配置されることが好ましく、一方、バケットガイドの掛かり部は、一般的にはバケットよりも高さの低い泥溜め部側壁の上端面および／または立上り部側壁の下端面近傍に配置されることが好ましい。
【００３６】
このため、バケットガイドの案内部と掛かり部とは高さ方向に離間して配置される場合が多く、このため、バケットガイドの案内部は、離間した掛かり部と連結されるように、断面視において、下向きにコの字の断面形状または下向きにＵの字の断面形状を有していることが好ましい。また、バケットガイドの案内部の断面形状が下向きのコの字形または下向きのＵの字形であると、案内部の断面係数も増大するので、バケットガイド全体の剛性を高めることができるというメリットもある。
【００３７】
泥溜め部は、泥溜め部の側壁に複数の透水孔または複数の透水スリットを有しており、そしてバケットは、バケットを泥溜め部の中へ装着した時、泥溜め部の透水孔または透水スリットの中で、最も高い位置の透水孔の上端または透水スリットの上端よりも高い位置に配置される複数の貫通孔または複数の貫通スリットを有していることが好ましい。
【００３８】
本発明の雨水ますでは、雨水ますの下部には、バケットを囲むように、側壁に複数の透水孔等が設けられた有底筒状の泥溜め部が設けられており、泥溜め部の中にはバケットが着脱自在に装着される。支管接続口を通して流入した泥、枯葉等の異物を含む雨水はバケット内へ流入するが、バケットの下部領域には貫通孔等が設けられていないので、バケット内へ流入した雨水等はバケット内の下部領域において一旦滞留し、雨水等に含まれる異物はバケット内の下部領域に堆積する。そしてバケット内に雨水等が溜ってくると、バケット内に滞留した雨水等の上澄み液のみがバケットの上部領域に設けられた貫通孔等を通してバケットの外部へ排出され、バケットの外部へ排出された雨水等の上澄み液は、次いで泥溜め部に設けられ透水孔等を通して泥溜め部の外部へ排水されることになる。
【００３９】
このため、上述のように泥溜め部の側壁に複数の透水孔等を設け、バケットには、泥溜め部の透水孔等よりも高い位置に複数の貫通孔等を設けると、雨水ますは浸透ますとしても機能し、そして雨水等に含まれる異物はバケット内の下部領域に残留することになるため、異物が雨水ますから、雨水ますの外部に敷き詰めた砕石槽へ向けて流出することがなくなり、前記砕石槽の目詰まりが防止される。
【００４０】
また、泥溜め部の中に装着されるバケットは、上述のように着脱自在であるため、堆積した異物を除去する際も、バケットをます本体から抜き出して、バケット内の異物を廃棄するといった極めて簡単な作業で済ませることができるので、雨水ますのメンテナンス性が向上する。
【発明の効果】
【００４１】
本発明の支管接続口は、拡径されたスピゴットの差し口（スピゴットフランジの付根近傍の領域）を有しているので、スピゴットの差し口と立上り部等の円管の開口部との間に隙間を生じることなく、スピゴットの差し口を立上り部等の円管の開口部へ容易に挿通させて密着させることができる。その結果、本発明の支管接続口は、スピゴットの差し口の高い挿通性を維持しながら、立上り部等の円管の開口部との間に生じる芯ズレ（ガタツキ）を防止し、さらに立上り部等の円管の開口部との間からの漏水を効果的に防止することができる。
【００４２】
本発明が支管接続口を備えた雨水ますである場合、本発明の支管接続口は、差し口を備えたスピゴットと、スピゴットの差し口と嵌合する受け口を備えたソケットとを有しており、雨水ますの立上り部等の円管に設けた開口部へ後付けできるため、施工現場の排水管の位置に合わせて、立上り部等の円管の自由な位置（高さ、方向）に任意の方向へ向けて複数個取り付けることができる。このため、本発明の支管接続口は、雨水ますにおいて立上り部として使用される円管に限られず、基本的に他の汎用の円管にも使用することができる。
【００４３】
本発明が支管接続口を備えた雨水ますである場合、雨水に含まれている泥、枯葉等の異物を捕捉するために、ます本体の下部に有底の泥溜め部と、泥溜め部の中に着脱自在に取り付けられるバケットとを備えた高機能の雨水ますであることができる。それにも拘らず、本発明の雨水ますは立上り部に汎用の円管を使用することができ、そして立上り部と泥溜め部との接続部においてバケットガイドを支持させることができるので、バケットを泥溜め部へ装着する時、バケットは、バケットガイドによってバケットの中心軸と雨水ますの中心軸とが一致するように案内され、そして、バケットの外部側壁と泥溜め部の内部側壁との間には所定の隙間が形成される。
【００４４】
本発明が支管接続口を備えた雨水ますである場合、泥溜め部の側壁に複数の透水孔等が設けられており、バケットには、泥溜め部の透水孔等よりも高い位置に複数の貫通孔等が設けられているので、雨水ますを浸透ますとして機能させることもでき、そして雨水等に含まれる異物はバケット内の下部領域に残留することになるため、異物が雨水ますから、雨水ますの外部に敷き詰めた砕石槽へ向けて流出することがなくなり、前記砕石槽の目詰まりを防止することができる。
【００４５】
本発明が支管接続口を備えた雨水ますである場合、泥溜め部と、泥溜め部の中に着脱自在に取り付けられるバケット以外は、汎用の円管および改良された汎用の接続口を、立上り部および支管接続口として利用しているので、高機能を維持しながら低コストの雨水ますを提供することができる。
【図面の簡単な説明】
【００４６】
【図１】本発明の支管接続口及び該支管接続口を備えた雨水ますの一の実施形態を示す斜視図である。
【図２】図１に示される本発明の支管接続口及び該支管接続口を備えた雨水ますを分解した態様を示す斜視図である。
【図３】図１に示される本発明の支管接続口及び該支管接続口を備えた雨水ますをＡ−Ａ断面で切り取った断面図である。
【図４】バケットガイドの上面図及び側面図である。
【図５】本発明の支管接続口のスピゴットを示す斜視図である。
【図６】図５に示されるスピゴットをＢ−Ｂ断面で切り取った断面図（ａ）及びＣ−Ｃ断面で切り取った断面図（ｂ）である。
【図７】本発明の支管接続口のソケットを示す斜視図である。
【図８】図７に示されるソケットをＤ−Ｄ断面で切り取った断面図（ａ）及びＥ−Ｅ断面で切り取った断面図（ｂ）である。
【図９】本発明の支管接続口を備えた他の雨水ますの実施形態を示す断面図である。
【発明を実施するための形態】
【００４７】
以下、本発明の一実施形態に係る支管接続口及び該支管接続口を備えた雨水ますについて、図面を参照しながら詳細に説明する。なお、本発明は、以下に示される実施例に限定されるものではなく、本発明の技術的思想を逸脱しない範囲内で各種の変更が可能である。
【実施例】
【００４８】
図１〜３を用いて、本発明の一実施形態に係る支管接続口７及び該支管接続口７を備えた雨水ます１の主な構成を説明する。図１には、本実施形態に係る支管接続口７及び該支管接続口７を備えた雨水ます１の上方から見た斜視図が示されている。図２には、図１に示された支管接続口７及び該支管接続口７を備えた雨水ます１を分解した態様を示す斜視図が示されている。そして、図３には、図１に示される本実施形態の支管接続口７及び該支管接続口７を備えた雨水ます１をＡ−Ａ断面で切り取った断面図が示されている。
【００４９】
図１〜３を参照して理解されるように、本実施形態の雨水ます１は、円筒形の立上り部３と、立上り部３の下部に接続される泥溜め部４とからなるます本体２と、泥溜め部４の中に着脱自在に収容されるバケット５と、立上り部３と泥溜め部４との接続部分に固定されるバケットガイド６と、そして立上り部３の側壁に取り付けられた２つの支管接続口７を備えており、これらの部品の成形性、取り扱いの容易性等を考慮して、塩化ビニール樹脂からできている。
【００５０】
立上り部３は、雨水ます１の高さを調節するため、任意の高さ（長さ）に切断することが可能であり、規格化された汎用の円管を使用することができる。このため、本実施形態の雨水ます１は、施工現場において、設置環境に合わせて様々な深さの設置場所へ設置することができる。
【００５１】
立上り部３の下には、後述するバケットガイド６を挟み込んで専用の泥溜め部４が接続される。泥溜め部４は有底の筒状体であり、泥溜め部４の上部には立上り部３の下端部を受け入れるため、立上り部３の外径と略同じ大きさの内径を有する受け口４０が形成されている。このため、本実施形態の泥溜め部４は、雨水ます１の専用の部品であるが、立上り部３の規格に対応した数の受け口４０を有する泥溜め部４を準備すれば足りるので、製作しなければならない泥溜め部４の種類の数を抑えることができる。
【００５２】
泥溜め部４の中に収容されるバケット５は有底の筒状体であり、バケット５に滞留させた雨水を泥溜め部４へ排出させるために泥溜め部４の内径より小さな外径を有しており、泥溜め部４との間に隙間が形成されている。また、図２に示されているように、本実施形態のバケット５は、上部点検口２０からの出し入れを容易にするため、バケット５の上端部に一体的に形成された把手５０を含んでいる。
【００５３】
また、バケット５の開口位置（上部開口縁の高さ）は、図３に示されているように、雨水流入側の支管接続口７に位置する領域（図３の向かって左側）と、雨水流出側の支管接続口７に位置する領域（図３の向かって右側）のそれぞれの開口位置（上部開口縁）の高さが異なっている。別言すると、本実施形態では、雨水流入口側のバケット５の開口位置（上部開口縁）は、雨水流出口側のバケット５の開口位置（上部開口縁）よりも低く設定されている。
【００５４】
上述のように、雨水流入口側のバケット５の開口位置（上部開口縁）を雨水流出口側のバケット５の開口位置（上部開口縁）よりも低くすると、雨水流入側の支管接続口７において、内部側の支管接続口部品７０にフランジを設けた場合においても、該フランジとバケット５の開口位置（上部開口縁）との干渉を回避できるので、内部側の支管接続口部品７０の取り付けが容易になると共に、多様な形状や大きさのフランジを有する内部側の支管接続口部品７０であっても、その取り付けを許容できる。また、雨水流入口に面するバケット５の開口位置（上部開口縁）を低くし、流入した雨水が衝突する側のバケット５の開口位置（上部開口縁）を高くしたことで、雨水がよりスムーズにバケット５内へ導かれるという効果も奏する。
【００５５】
把手５０は下向きコの字形状を有しており、把手５０の縦部材に着脱自在に取り付けられるフィルター支持部５１と、フィルター支持部５１に交換可能に取り付けられる、金網でできたドーム状のフィルター５２を含んでいる。把手５０の２つの付け根の間に位置するバケット５の開口位置（上部開口縁）には、外方へ略水平方向に突出した半円弧状のフランジが形成されているので（図２）、フィルター支持部５１を、把手５０の上部から下方へ向けてスライドさせて挿入する時、該フランジはストッパーとして機能し、フィルター支持部５１の下端部がバケット５上部のフランジへ当接することにより、フィルター支持部５１及びフィルター５２を把手５０の所定の位置へ正確に固定する。
【００５６】
立上り部３と泥溜め部４との間には、リング状のバケットガイド６が取り付けられる。図４を参照して理解されるように、バケットガイド６は、立上り部３や泥溜め部４から独立した別個の部品として構成されており、バケット５を泥溜め部４の中へ装着する時、バケット５を泥溜め部４の中の所定の位置に案内するための案内部６０と、バケットガイド６をます本体２へ固定するための掛かり部６１と、案内部６０と掛かり部６１とを相互に連結する連結部６２とを含んでいる。
【００５７】
図４には、バケットガイド６の上面図及び側面図が示されている。バケットガイドの６の案内部６０は、バケット５の外部側壁を囲むことができるように配置されており、バケット５の外部側壁とスライド可能に当接するガイド面６３を有している。ガイド面６３は、泥溜め部４の中へバケット５を装着した時、バケット５の外部側壁と略平行に配置された円筒状の面または線状面であってよく、或いは下方へ向かうほどバケット５の外部側壁に近づくように（下方へ向かうほど縮径するように）傾斜した面であってもよい。
【００５８】
本実施形態では、案内部６０のガイド面６３は、バケット５を泥溜め部４の中の所定の位置に案内するために、下方へ向かうほどバケット５の外部側壁に近づくように（下方へ向かうほど縮径するように）傾斜した第１のガイド面６４と、バケット５を泥溜め部４の中の所定の位置に保持するために、バケット５の外部側壁と略平行に配置された円筒状の第２のガイド面６５とを含んでいる。また、図示しないが、第２のガイド面６５は、第１のガイド面６４と同様に、バケット５を挿入する方向へ従って縮径する傾斜面を有していてもよい。この場合は、バケット５は挿入し易くなり、また取り外しも容易になる。
【００５９】
バケットガイド６の案内部６０は、泥溜め部４の中へ装着したバケット５をその外側から拘束できる形状であればよいので、図２，４に示されているように、ます本体２の周方向に延びたリング状である他、周方向への変形に対する柔軟性を付与するため、例えば周方向に延びたリング状のバケットガイドの一部に切り込み（スリット）を設けたり、或いは、例えばます本体２の放射方向に延びた複数の舌部から構成することもできる（図示せず）。案内部６０が複数の舌部で構成されている場合、バケット５を少なくとも三方向から支持できれば拘束することができるので、この場合、舌部は周方向に１２０°の間隔を開けてます本体２の周方向に均等に並ぶように配置されることが好ましい。
【００６０】
このため、バケットガイド６を介してバケット５を泥溜め部４の中へ装着すると、バケット５の外部側壁が案内部６０のガイド面６３によってスライド可能に案内されるので、バケット５は、バケット５の中心軸Ｘと雨水ます１の中心軸Ｙとが一致するように案内され、そして、バケット５の外部側壁と泥溜め部４の内部側壁との間に所定の隙間を安定して形成させることができる（図３参照）。
【００６１】
バケットガイド６の掛かり部６１は、連結部６２から外方向へ突出したフランジ形状を有しており、立上り部３と泥溜め部４を接続する時、立上り部３と泥溜め部４の間に挟み込まれることによって、バケットガイド６全体をます本体２の内部に固定する役目を果たしている。
【００６２】
掛かり部６１は、立上り部３と泥溜め部４の接続部に簡単に挟み込むことができる形状であればフランジ形状に限定されるものではないが、本来（バケットガイド６を取り付けていない時）の立上り部３と泥溜め部４との接続（接触）面積を出来るだけ減少させないようにするために、立上り部３側壁の下端面および／または泥溜め部４側壁の上端面と当接可能又は挟み込み可能なフランジ形状とすることが有利である（図３参照）。
【００６３】
また、本実施形態の雨水ます１のように、立上り部３側壁が差し口として機能し、泥溜め部４側壁の上部が、差し口としての立上り部３を受け入れるための受け口４０として機能する場合、掛かり部６１は、立上り部３の差し口の端面と、立上り部３の差し口の端面が当接する、泥溜め部４の受け口４０の段部と当接可能又は挟み込み可能なフランジ形状であればよい。図示しないが、逆に立上り部３側壁が受け口として機能し、泥溜め部４側壁の上部が、受け口としての立上り部３の受け口へ挿入される差し口として機能する場合、掛かり部６１は、泥溜め部４の差し口の端面と、泥溜め部４の差し口の端面が当接する、立上り部３の受け口の段部と当接可能又は挟み込み可能なフランジ形状であればよい。
【００６４】
このように、本実施形態の雨水ます１では、バケットガイド６を、立上り部３や泥溜め部４とは別個の独立した部品として構成し、立上り部３と泥溜め部４の間に挟み込むことによってます本体２の内部に固定できるようにしたので、立上り部３にバケットガイド６を設ける必要がなくなり、汎用の円管であっても、雨水ます１の立上り部３として利用し、泥溜め部４の上部に接続することができる。
【００６５】
バケットガイド６の案内部６０は、案内部６０上部に異物が堆積しないように、可能な限りバケット５の上部縁部付近に当接できるように配置されることが好ましい。一方、バケットガイド６の掛かり部６１は、一般にバケット５の高さよりも低い位置に存在する、泥溜め部４と立上り部３の接続部分に固定されるので、案内部６０と掛かり部６１とは高さ方向に離間して配置される場合が多い。
【００６６】
このため、バケットガイド６の連結部６２は、離間した案内部６０と掛かり部６１とを相互に連結する役目を果たしており、本実施形態では、取付け後のバケットガイド６のガタツキ防止を考慮して、立上り部３の内周面に摺接できる円筒形状を有している。そして、バケットガイド６の案内部６０および連結部６２は一体となって、断面視において下向きにコの字の断面形状または下向きにＵの字の断面形状を形成しており、案内部６０および連結部６２の断面係数も増大するので、バケットガイド６全体の剛性を高めることができる。
【００６７】
なお、連結部６２は、離間した案内部６０と掛かり部６１とを相互に連結できるものであれば円筒形状などに限定されるものではなく、例えば、案内部６０と掛かり部６１を複数個所において部分的に連結する、梯子状に配置された棒状部材などであってもよい。さらに、案内部６０と掛かり部６１とが近接している場合は、連結部６２を省略して、案内部６０と掛かり部６１とを直接連結させてもよい。
【００６８】
図２，３を参照して理解されるように、本実施形態の泥溜め部４は有底の筒状体であって、泥溜め部４の側壁に複数の透水孔４１を有している。図示しないが、透水孔４１は複数のスリット又は透水孔４１とスリットとの組み合わせたものへ置き換えてもよい。そして本実施形態の雨水ます１では、バケット５は、バケット５を泥溜め部４の中へ装着した時、泥溜め部４の透水孔４１の中で、最も高い位置の透水孔４１の上端よりも高い位置に配置される複数の貫通孔５３を有している（図３参照）。また、図示しないが、貫通孔５３も、複数の貫通スリット又は貫通孔５３と貫通スリットとの組み合わせたものへ置き換えてもよい。
【００６９】
本実施形態の雨水ます１では、雨水ます１の下部には、バケット５を囲むように、側壁に複数の透水孔４１が設けられた有底筒状の泥溜め部４が設けられており、泥溜め部４の中にはバケット５が着脱自在に装着される。支管接続口７を通して流入した泥、枯葉等の異物を含む雨水はバケット５内へ流入するが、バケット５の下部領域には貫通孔５３が設けられていないので、バケット５内へ流入した雨水等はバケット５内の下部領域において一旦滞留し、雨水等に含まれる異物はバケット５内の下部領域に堆積する。そしてバケット５内に雨水等が溜ってくると、バケット５内に滞留した雨水等の上澄み液のみがバケット５の上部領域に設けられた貫通孔５３を通してバケット５の外部へ排出され、バケット５の外部へ排出された雨水等の上澄み液は、次いで泥溜め部４に設けられ透水孔４１を通して泥溜め部４の外部へ排水される。
【００７０】
このため、上述のように泥溜め部４の側壁に複数の透水孔４１を設け、バケットには、泥溜め部４の透水孔４１よりも高い位置に複数の貫通孔５３を設けると、雨水ます１は浸透ますとしても機能し、そして雨水等に含まれる異物はバケット５内の下部領域に残留することになるため、異物が雨水ますから、雨水ます１の外部に敷き詰めた砕石槽（図示せず）へ向けて流出することがなくなり、前記砕石槽の目詰まりを防止することができる。
【００７１】
また、泥溜め部４の中に装着されるバケット５は、上述のように着脱自在であるため、堆積した異物を除去する際も、バケット５をます本体２の点検口２０から抜き出して、バケット５内の異物を廃棄するといった極めて簡単な作業で済ませることができるので、雨水ます１のメンテナンス性が向上する。
【００７２】
なお、本実施形態の雨水ます１では、泥溜め部４の透水孔４１またはバケット５の貫通孔５３のいずれか一方を省略してもよく、或いは透水孔４１および貫通孔５３の両方を省略してもよい。泥溜め部４の透水孔４１を省略した場合、雨水ます１は浸透ますとして機能しなくなるが、通常の雨水ます１として使用することができる。
【００７３】
図５には、ます本体２の立上り部３の内壁に取り付けられる本実施形態の支管接続口７のスピゴット７０を示す斜視図が示されている。図６には、図５に示されたスピゴット７０をＢ−Ｂ断面で切り取った断面図（ａ）及びＣ−Ｃ断面で切り取った断面図（ｂ）が示されている。また、図７には、ます本体２の立上り部３の外壁に取り付けられる本実施形態の支管接続口７のソケット７１を示す斜視図が示されている。図８には、図７に示されたソケット７１をＤ−Ｄ断面で切り取った断面図（ａ）及びＥ−Ｅ断面で切り取った断面図（ｂ）が示されている。
【００７４】
図１〜３に示されているように、本実施形態の雨水ます１は、外部から雨水ますへ雨水等を流入させるための流入口として、外部から雨水ますへ連通する本実施形態の支管接続口７（図１〜３の左側）と、雨水ます１から外部へ雨水等を流出させるための流出口として、雨水ますから外部へ連通する本実施形態の支管接続口７（図１〜３の右側）とが、立上り部３の同じ高さに、水平方向に１８０°向きを変えて取り付けられている。本実施形態の支管接続口７は、立上り部３の側壁に設けた開口部３０に後付けされるので、立上り部３の自由な位置（高さ、方向）に任意の方向に向けて取り付けることができる。なお、立上り部３の開口部３０は、施工現場等にて、ホールソー等を用いて立上り部３の側壁をくり貫くことにより、立上り部３の側壁の任意の位置に設けることができる。
【００７５】
図２，３に示されているように、本実施形態の支管接続口７は、差し口７２を有し、立上り部３側壁の内面に取り付けられるスピゴット７０と、スピゴット７０の差し口７２と嵌合する受け口７４を有し、立上り部３側壁の外面に取り付けられるソケット７１とから構成されている。
【００７６】
本実施形態では、差し口を有する一の支管接続口７部品をスピゴットと呼んでおり、受け口を有する他の支管接続口７部品をソケットと呼んでいる。このため、図示しないが、スピゴット７０およびソケット７１は、立上り部３側壁の内面、外面に関し、それぞれの取り付け位置を入れ換えることも可能であり、具体的には、差し口７２有するスピゴット７０を立上り部３側壁の外面に取り付け、受け口７４を有するソケット７１を立上り部３側壁の内面に取り付けることができる。
【００７７】
図５，６を参照してよく理解されるように、スピゴット７０は、立上り部３の開口部３０を挿通する差し口７２と、差し口７２外周部に固着されており且つ立上り部３の内側の側壁に沿うように湾曲したスピゴットフランジ７３とを有している。また、スピゴット７０の差し口７２は、差し口７２外周部において、スピゴットフランジ７３の付根近傍の領域に、スピゴットフランジ７３の付根近傍以外の領域の外径よりも拡径されている段付き部７６を含んでいる。
【００７８】
本実施形態の支管接続口７のスピゴット７０およびソケット７１は、塩化ビニール樹脂からできている。そのため、拡径されたスピゴット７０の差し口７２の段付き部７６（スピゴットフランジ７３の付根近傍の領域）へ有機溶剤からなる接着剤を塗布すると軟化するので、スピゴット７０の差し口７２と立上り部３の開口部３０との間に隙間を生じさせることなく、スピゴット７０の差し口７２を立上り部３の開口部３０へ容易に挿通させて密着させることができる。
【００７９】
このため、本実施形態の支管接続口７は、スピゴット７０の差し口７２の高い挿通性を維持しながら、立上り部３の開口部３０との間に生じる芯ズレ（ガタツキ）を防止し、さらに立上り部３の開口部３０との間（支管接続口７の取付け部分）からの漏水防止及び止水性向上を図ることができる。また、本実施形態では、段付き部７６の過剰な挿通長さを排除し、スピゴット７０の差し口７２のより高い挿通性を可能にするため、スピゴット７０の差し口７２の拡径された段付き部７６（スピゴットフランジ７３の付根近傍の領域）の幅寸法を立上り部３の肉厚と略同じにしている（図３参照）。この場合、湾曲したソケットフランジ７５が、スピゴット７０の段付き部７６と立上り部３の側壁の双方と当接するので、より支管接続口７の取付け部分の隙間を生じ難くするという効果もある。
【００８０】
スピゴットフランジ７３は、スピゴットフランジ７３の外郭を形成する棒状の第１の骨部材７３０と、スピゴットフランジ７３をスピゴット７０の差し口７２へ接合するために、スピゴット７０の差し口７２の段付き部７６を囲むように形成された棒状の第２の骨部材７３１と、そしてスピゴットフランジ７３を補強し、立上り部３との接着面積を増大させるために、第１の骨部材７３０および第２の骨部材７３１と接合された面状部材７３２を含んでいる。また、第１の骨部材７３０の左右の縦骨部材の内側には、バケット５の把手５０の縦部材とスライド可能に当接することにより、点検口２０からのバケット５の出し入れを容易にするための把手ガイド溝７３３が形成されている。
【００８１】
スピゴットフランジ７３は、全体として立上り部３の内部側壁形状に沿うように凸状に湾曲している。ただし、スピゴットフランジ７３は必ずしも完全な面状体である必要はなく、立上り部３の側壁形状に沿って密着させることができるものであれば、本実施形態のように棒状部材７３０，７３１と面状部材７３２とを組み合わせたもの、又は複数の棒状部材を格子状等に組み合わせたものであってもよい。本実施形態のスピゴット７０では、棒状部材７３０，７３１と面状部材７３２とを組み合わせることにより、スピゴットフランジ７３全体の軽量化と必要な強度保証を両立させている。
【００８２】
また、本実施形態において、スピゴット７０を立上り部３側壁の外面に取り付ける場合は、スピゴットフランジ７３を、全体として立上り部３の外部側壁形状に沿うように凹状に湾曲させればよい。
【００８３】
図７，８を参照してよく理解されるように、ソケット７１は、スピゴット７０の差し口７２と嵌合する受け口７４と、受け口７４外周部に固着されており且つ立上り部３の外側の側壁に沿うように湾曲したソケットフランジ７５とを有している。このため、ソケット７１の受け口７４の内径は、スピゴット７０の差し口７２の外径と略同じである。また、ソケット７１の受け口７４の内部には、スピゴット７０の差し口７２の先端を当接させることにより、接合部のシール性向上およびスピゴット７０の差し口７２の過度な挿入を防止するためのストッパー７１０が、受け口７４内面から内側へ向けて突出するようにリング状に形成されている。
【００８４】
ソケットフランジ７５は、立上り部３の外部側壁形状に沿うように凹状に湾曲した板状部材から形成されているが、必ずしも板状、完全な面状である必要はなく、立上り部３の側壁形状に沿って密着させることができるものであれば、スピゴットフランジ７３のように、棒状部材と面状部材とを組み合わせたものや、格子状に複数の棒状部材を組み合わせたものであってもよい。
【００８５】
また、本実施形態において、ソケット７１を立上り部３側壁の内面に取り付ける場合は、ソケットフランジ７５を、全体として立上り部３の内部側壁形状に沿うように凸状に湾曲させればよい。
【００８６】
図９には、本発明の支管接続口７を備えた他の実施形態に係る雨水ます１ａの断面図が示されている。図９は、図３と同様に、図１に示される他の実施形態（図１においては、本実施形態と共通の外観を有している）の雨水ます１ａをＡ−Ａ断面で切り取った断面図が示されている。
【００８７】
図９を図３と対比して理解されるように、他の実施形態に係る雨水ます１ａは、バケット５の把手５０に着脱自在に取り付けられる、フィルター５２付きのフィルター支持部５１（図３）を、円錐状の形をしたオリフィス５４へ置き替えたこと以外は、図１〜３に示されている本発明の一実施形態に係る雨水ます１と同じ構造を有している。このため、他の実施形態に係る雨水ます１ａは、フィルター５２の機能以外は本実施形態の雨水ます１と同じ効果を奏することができ、さらに、他の実施形態のオリフィス５４も、バケット５の下向きコの字形状を有している把手５０の縦部材に着脱自在に取り付けることができる。
【００８８】
オリフィス５４は、バケット５の把手５０への取付け部分から先端へ向けて先細りとなる円錐形状を有しており、先端部分を、鋸またはハンドグラインダー等を用いてオリフィス５４の軸に対して垂直に切り取ることにより、任意の大きさのオリフィス孔５５を設けることができる。このため、本発明の他の実施形態に係る雨水ます１ａでは、雨水ます１ａから流出させる雨水等の流量を任意且つ容易に調節することができる。
【符号の説明】
【００８９】
１，１ａ・・・雨水ます
２・・・・・・ます本体
２０・・・・・点検口
３・・・・・・立上り部
３０・・・・・開口部
４・・・・・・泥溜め部
４０・・・・・受け口
４１・・・・・透水孔
５・・・・・・バケット
５０・・・・・把手
５１・・・・・フィルター支持部
５２・・・・・フィルター
５３・・・・・貫通孔
５４・・・・・オリフィス
５５・・・・・オリフィス孔
６・・・・・・バケットガイド
６０・・・・・案内部
６１・・・・・掛かり部
６２・・・・・連結部
６３，６４，６５・・・ガイド面
７・・・・・・支管接続口
７０・・・・・スピゴット
７１・・・・・ソケット
７１０・・・・ストッパー
７２・・・・・差し口
７３・・・・・スピゴットフランジ
７３０，７３１・・・骨部材
７３２・・・・面状部材
７３３・・・・把手ガイド溝
７４・・・・・受け口
７５・・・・・ソケットフランジ
７６・・・・・段付き部
【図１】
0006574722.tif 000002
【図２】
0006574722.tif 000003
【図３】
0006574722.tif 000004
【図４】
0006574722.tif 000005
【図５】
0006574722.tif 000006
【図６】
0006574722.tif 000007
【図７】
0006574722.tif 000008
【図８】
0006574722.tif 000009
【図９】
0006574722.tif 000010